(57)【要約】【課題】ＤＡＢの受信機において、適切な受信を可能にする。【解決手段】ＤＡＢの受信機において、ＤＡＢの受信時、アンサンブルおよびサービスについてのデータをＲＡＭ４３に蓄積する。国識別コードおよび拡張国コードの示す国が変化したとき、ＲＡＭ４３に蓄積されているアンサンブルおよびサービスについてのデータを一括して消去する。この消去後、アンサンブルおよびサービスについてのデータのＲＡＭ４３への蓄積を再開する。【選択図】        図１
2004349758.tif 000002
【特許請求の範囲】
【請求項１】
複数の番組のデジタルデータと、上記複数の番組のそれぞれに関する情報のデータと、放送が対象としている国を示す識別コードとを１組として放送するデジタル放送を受信する受信機において、
上記デジタル放送の受信時、上記情報のデータをＲＡＭに蓄積し、
上記識別コードが変化したとき、上記ＲＡＭに蓄積されている上記情報のデータを一括して消去するとともに、
この消去後、上記情報のデータの上記ＲＡＭへの蓄積を再開するようにしたデジタル放送の受信機。
【請求項２】
複数の番組のデジタルデータと、上記複数の番組のそれぞれに関する情報のデータと、放送が対象としている国を示す識別コードとを１組として放送するデジタル放送を受信する受信機において、
上記識別コードが変化したとき、国別に用意されているプリセット受信用のプリセットテーブルを、上記変化した識別コードが示す国に対応するプリセットテーブルに変更するようにしたデジタル放送の受信機。
【請求項３】
複数の番組のデジタルデータと、上記複数の番組のそれぞれに関する情報のデータと、放送が対象としている国を示す識別コードとを１組として放送するデジタル放送を受信する受信機において、
受信した番組を選択するためのデータを国別に保存し、
上記識別コードが変化したとき、上記国別に保存しているデータのうち、上記変化した識別コードが示す国に対応するデータを、番組選択用のデータとして設定するようにしたデジタル放送の受信機。
【請求項４】
請求項２あるいは請求項３に記載のデジタル放送の受信機において、
ＡＭ放送あるいはＦＭ放送の受信回路を有し、
上記識別コードが変化したとき、上記ＡＭ放送あるいはＦＭ放送を受信するためのデータも同時に変更するようにしたデジタル放送の受信機。
【発明の詳細な説明】
【０００１】
【発明の属する技術分野】
この発明は、デジタル音声放送の受信機に関する。
【０００２】
【従来の技術】
ヨーロッパにおいては、デジタル音声放送としてＥｕｒｅｋａ１４７規格にしたがった放送が実施されている。このデジタル音声放送は、一般にＤＡＢと呼ばれている。このＤＡＢは、
伝送帯域幅：１．５ＭＨｚ
変調方式  ：ＯＦＤＭ
オーディオ信号のデータ圧縮方式：ＭＰＥＧオーディオのレイヤＩＩを採用している。
【０００３】
そして、上記のように１つの伝送チャンネルが１．５ＭＨｚの伝送帯域幅を使用しているが、この伝送チャンネルは「アンサンブル」と呼ばれ、このアンサンブルの中心周波数に同調を取ることにより、そのアンサンブルが選択される。さらに、このアンサンブルは、「サービス」と呼ばれる複数のチャンネルに分割されている。このサービスの数は、最大で６４チャンネルであるが、サービスのそれぞれは例えばＦＭ放送局の１局に対応し、このサービスのそれぞれによりデジタルオーディオデータなどのデジタルデータが放送される。
【０００４】
したがって、ＤＡＢの番組を聞く場合には、アンサンブル（周波数）を選択し、そのアンサンブルに含まれる複数のサービス（番組）から目的とするサービスを選択することになる。そして、アンサンブルおよびサービスには、それぞれ「アンサンブルＩＤ」および「サービスＩＤ」と呼ばれる識別コードが与えられているので、このアンサンブルＩＤおよびサービスＩＤにより目的とするサービスを選択ないし特定することができる。
【０００５】
図４Ａは、ＤＡＢにおける伝送フレームの構成を示すもので、各フレームは、同期チャンネルＳＣ、高速情報チャンネルＦＩＣ、メインサービスチャンネルＭＳＣを有する。この場合、同期チャンネルＳＣは、フレーム同期やＡＦＣなどの処理をするためのものであり、図４Ｂに示すように、ヌルシンボルＮＵＬＬと、位相基準用のシンボルＴＦＰＲとから構成されている。
【０００６】
また、高速情報チャンネルＦＩＣは後述するような構成とされ、メインサービスチャンネルＭＳＣに、どのようなサービスがどのような転送レートでいくつ送られてきているかなどの情報を示すためのものである。さらに、メインサービスチャンネルＭＳＣは、本来のサービスを提供するためのものであり、デジタルオーディオデータや各種のデジタルデータが配置されている。
【０００７】
そして、高速情報チャンネルＦＩＣの構成であるが、これは図４Ｃに示すように複数のブロックＦＩＢから構成され、それぞれのブロックＦＩＢが、図４Ｄに示すように複数のグループＦＩＧと、その他のデータとから構成されている。なお、１つの高速情報チャンネルＦＩＣあたりのブロックＦＩＢの数、および１つのブロックＦＩＢあたりのグループＦＩＧの数は、フレームの伝送モードにより異なる。
【０００８】
そして、グループＦＩＧは、メインサービスチャンネルＭＳＣの構成に対応して図４Ｅ〜Ｈに示す構成のうちのいずれかとされる。図４ＥおよびＨの場合のグループＦＩＧは、ヘッダと、国識別コード（Ｃｏｕｎｔｒｙ  ＩＤ）ＣＩＤと、その他のデータとを有する。ここで、国識別コードＣＩＤは、４ビットであり、１６進値「１」〜「Ｆ」のいずれかの値を採るとともに、ＤＡＢないしサービスが対象とする国に対して図５に示すように割り当てられている。例えば、フランスでは、ＣＩＤ＝「Ｆ」とされ、イギリスでは、ＣＩＤ＝「Ｃ」とされている。
【０００９】
また、図４ＦおよびＧの場合のグループＦＩＧは、国識別コードＣＩＤに加えて拡張国コード（Ｅｘｔｅｎｄｅｄ  Ｃｏｕｎｔｒｙ  Ｃｏｄｅ）ＥＣＣを有する。この拡張国コードＥＣＣは、国識別コードＣＩＤだけでは、各国との対応が不十分な場合に使用されるもので、図５に示すように、８ビットの１６進値「Ｅ０」〜「Ｅ４」のいずれかの値を採る。
【００１０】
さらに、高速情報チャンネルＦＩＣは、メインサービスチャンネルＭＳＣにより送られるサービスの名称およびその識別コード、アンサンブルの名称およびその識別コードなどのデータも提供している。
【００１１】
図６ＡおよびＢは、実際にフランスおよびイギリスでＤＡＢを受信した場合に得ることのできたデータの例を示す。フランスの受信例（図６Ａ）では、フランスは国識別コードＣＩＤが「Ｆ」なので、アンサンブルＩＤおよびサービスＩＤの先頭が「Ｆ」となっている。また、イギリスの受信例（図６Ｂ）では、イギリスの国識別コードＣＩＤおよび拡張国コードＥＣＣが「Ｃ」および「Ｅ１」なので、サービスＩＤの先頭が「Ｃ」あるいは「Ｅ１」となっている。
【００１２】
したがって、ＤＡＢの受信機においては、アンサンブルＩＤおよびサービスＩＤをあらかじめ受信機に登録しておくことにより、目的とするサービスをワンタッチで選択して受信することができる。
【００１３】
さらに、ＦＭ放送がＲＤＳサービスを行う場合も、番組の放送時、その番組や放送局などに関するデータが番組と一緒に送信されてくるので、ＲＤＳサービスに対応したＦＭ受信機も、ワンッタチで目的とする番組を選択することができる（例えば、特許文献１参照）。
【００１４】
【特許文献１】
特開平７−７９１３５号公報
【００１５】
【発明が解決しようとする課題】
ところで、これまでのＤＡＢ受信用のベースバンドチップは消費電力が大きく、このため、持ち運び可能なＤＡＢの受信機を開発することが困難であった。
【００１６】
しかし、近年、半導体プロセスの進化より、ＤＡＢ受信用のベースバンドチップの低消費電力化が可能となり、この結果、持ち運び可能なＤＡＢの受信機、あるいは乾電池や２次電池で駆動可能なＤＡＢの受信機が実現可能となった。したがって、長距離列車による旅行中でも、デジタル音声放送を楽しむことができる。
【００１７】
ところが、ヨーロッパでは様々な国が近接しているので、仕事や遊びなどで各国へ移動する機会が多く、しかも、容易に移動することができる。そして、ＤＡＢは国別にサービスされている。このため、ユーザがある国から別の国に移動すると、それまで聴いていたサービスを受信できなくなってしまう。
【００１８】
例えば、ユーロスターに乗車してフランスからイギリスに移動する場合、まず、フランスでは、例えば図６Ａに示すサービスを受信できるが、ユーロスターがユーロトンネルに入ると、それまでのサービスは受信できなくなる。そして、２０〜３０分が経過して列車がイギリス本土に入ると、ＤＡＢを受信できるようになる。しかし、このとき、一般にイギリスではアンサンブルの周波数位置が異なるので、サービスを受信することはできない。
【００１９】
したがって、ユーザはアンサンブルのサーチを行って新たなアンサンブルのサービスを受信することになる。つまり、ある国から別の国に移動すると、ＤＡＢ受信機に残っているアンサンブルやサービスなどのデータは意味がなくなる。むしろ、ＤＡＢ受信機のディスプレイには、その意味のないデータによって受信できないアンサンブルやサービスの名称などが表示されてしまう。
【００２０】
また、移動先（イギリス）でも移動元（フランス）と同じ周波数でアンサンブルが放送されていたとしても、アンサンブルＩＤおよびサービスＩＤが変化するとともに、アンサンブル内のサービスの構成なども変化するので、ＤＡＢ受信機は、サービスを再構築する必要がある。そのようにしないと、ＤＡＢ受信機は、移動先で、移動元のサービスを受信しようとするとともに、その状態を続けてしまう。
【００２１】
この発明は、以上のような問題点を解決しようとするものである。
【００２２】
【課題を解決するための手段】
この発明においては、
複数の番組のデジタルデータと、上記複数の番組のそれぞれに関する情報のデータと、放送が対象としている国を示す識別コードとを１組として放送するデジタル放送を受信する受信機において、
上記デジタル放送の受信時、上記情報のデータをＲＡＭに蓄積し、
上記識別コードが変化したとき、上記ＲＡＭに蓄積されている上記情報のデータを一括して消去するとともに、
この消去後、上記情報のデータの上記ＲＡＭへの蓄積を再開する
ようにしたデジタル放送の受信機とするものである。
したがって、受信国が変化したとき、各種のデータがクリアされ、その後、更新される
【００２３】
【発明の実施の形態】
（１）  第１の実施形態
この例においては、ユーザの移動によりＤＡＢの受信国が変化したとき、意味のない表示がされないようにするとともに、アンサンブルおよびサービスを適切に再構築できるようにした場合である。
【００２４】
図１において、符号１０はこの発明によるＤＡＢ受信機の一例を示す。このＤＡＢ受信機１０においては、ＤＡＢの放送波信号がアンテナ１１により受信され、この受信信号が、スーパーヘテロダイン形式に構成されたフロントエンド回路１２に供給されて所定の周波数の中間周波信号にダウンコンバートされ、この中間周波信号がＡ／Ｄコンバータ回路１３に供給されてデジタル信号にＡ／Ｄ変換される。
【００２５】
そして、このデジタル信号が直交復調回路１４に供給されてベースバンドの同相成分（Ｉ成分）および直交成分（Ｑ成分）のデータが復調され、これらデータがＦＦＴ回路１５において複素フーリエ変換されてシンボルごとに周波数領域のデータが出力される。この周波数領域のデータが、デインターリーブ回路１６によりデインターリーブされてからビタビデコーダ回路１７に供給されてエラー訂正が行われるとともに、サービス（番組）の選択が行われて目的とするサービスのデジタルオーディオデータ（ＭＰＥＧデータ）が取り出される。
【００２６】
続いて、この取り出されたＭＰＥＧデータがデコーダ回路１８に供給されて目的とするサービスのデジタルオーディオデータがデコードされ、このデコードされたデジタルオーディオデータがＤ／Ａコンバータ回路１９に供給されてアナログオーディオ信号にＤ／Ａ変換され、この信号がアンプ２１を通じてスピーカ２２に供給される。
【００２７】
また、このとき、ＦＦＴ回路１５において得られる周波数領域のデータのうち、位相基準用のシンボルＴＦＰＲ（図４参照）のデータがＤＳＰ３１に供給され、フロントエンド回路１２のＡＦＣが行われるとともに、ＦＦＴ回路１５およびビタビデコーダ回路１７における同期などの処理が実行される。
【００２８】
さらに、システム制御用としてマイクロコンピュータ４０が設けられ、ＤＳＰ３１および回路１７、１８との間で所定の信号がアクセスされ、アンサンブルおよびサービスの選択が行われる。
【００２９】
この場合、マイクロコンピュータ４０は、各種の処理ルーチンを実行するＣＰＵ４１と、それらの処理ルーチンの書き込まれているＲＯＭ４２と、ワークエリア用のＲＡＭ４３とを有する。さらに、マイクロコンピュータ４０は、各種のデータを保存しておくための不揮発性メモリ４４と、ユーザインターフェイス用の入出力回路４５とを有するとともに、マイクロコンピュータ４０には、入出力回路４５を通じてＬＣＤ５１および操作キー５２が接続されている。
【００３０】
なお、ＬＣＤ５１は、ＤＡＢの受信時に、その受信中のサービスなどに関する情報を表示したり、各種の設定をするとき、その設定項目や内容の表示したりするためのものである。また、キー５２は、アンサンブルやサービスの選択、あるいは各種の設定などを実行するとき、その入力を行うためのものであり、例えばプリセット受信用の番組キーなどが含まれる。
【００３１】
さらに、メモリ４４には、プリセット受信用のプリセットテーブルが用意される。このプリセットテーブルには、キー５２のうちの番組キーにサービスを登録したとき、そのサービスを受信するためのデータが保存される。そして、番組キーの１つを操作すると、プリセットテーブルに保存されているデータのうち、操作された番組キーに対応するデータが取り出されてフロントエンド回路１２およびビタビデコーダ回路１７に供給され、その操作された番組キーに登録されているサービスが受信される。
【００３２】
そして、任意のサービスを受信しているとき、その受信中に得られる各種のデータ、例えば、アンサンブルＩＤ、サービスＩＤ、アンサンブルラベル、サービスラベルなどのデータがＲＡＭ４３に蓄積されていく。
【００３３】
この蓄積されたデータは、そのデータに該当するサービスを受信するときなどに使用される。すなわち、あるサービスを受信しているときには、同じアンサンブルにより同時に放送されている別のサービスに関するデータも得られるので、このデータにより同時に放送されている別のサービスの種類や番組名などを知ることができ、あるいは別のサービスへ受信を切り換えることができる。
【００３４】
また、受信中のサービスを別のサービスに切り換えたときには、その切り換え後のサービスを受信するために必要なデータ、すなわち、アンサンブルＩＤおよびサービスＩＤが、ラストチャンネル（前回、電源をオフにする直前まで受信していたサービス）のデータとしてメモリ４４に保存される。そして、次に電源をオンにしたとき、そのラストチャンネルのデータにしたがって、前回電源をオフにする直前まで受信していたサービスが受信される。
【００３５】
以上の構成に加えて、特にこの発明においては、ＲＯＭ４２の処理ルーチンの一部として、例えば図２に示すようなルーチン１００が用意される。このルーチン１００の詳細は後述するとおりであるが、図２においては、ルーチン１００は、この発明に関係する部分だけを抜粋して示している。そして、ルーチン１００は、ＤＡＢ受信機１０の電源がオンとされている期間には、ＣＰＵ４１により例えば１分ごとに繰り返し実行されるものである。また、メモリ４４には、ラストチャンネルのデータが保存されるとき、国識別コードＣＩＤおよび拡張国コードＥＣＣも保存される。
【００３６】
そして、ルーチン１００に対するＣＰＵ４１の処理は、ルーチン１００のステップ１０１からスタートし、次にステップ１０２において、アンサンブルが受信されていないときには、例えばＤＡＢの放送周波数帯をスキャンすることによりアンサンブルが受信される。続いて、処理はステップ１０３に進み、このステップ１０３において、受信中のアンサンブルから国識別コードＣＩＤおよび拡張国コードＥＣＣが取り出される。
【００３７】
次に、ステップ１０４において、ステップ１０３により取得した国識別コードＣＩＤと、メモリ４４に保存されている国識別コードＣＩＤとが比較される。なお、このメモリ４４に保存されている国識別コードＣＩＤ（および拡張国コードＥＣＣ）は、上記のように受信していたサービスを変更したとき、あるいは後述するステップ１１３が実行されたとき、メモリ４４に保存されたものである。
【００３８】
そして、ステップ１０４における国識別コードＣＩＤの比較の結果、両者が等しい場合には、処理はステップ１０４からステップ１０５に進み、このステップ１０５において、ステップ１０３により取得した拡張国コードＥＣＣと、メモリ４４に保存されている拡張国コードＥＣＣとが比較される。
【００３９】
この拡張国コードＥＣＣの比較の結果、両者が等しい場合は、現在の受信国が、国識別コードＣＩＤおよび国拡張コードＥＣＣを受信してメモリ４４に保存したときの受信国と同じ場合である。つまり、現在の受信国がラストチャンネルの受信国と同じである。そこで、処理はステップ１０５からステップ１１４に進み、ルーチン１００を終了する。こうして、ルーチン１００が実行されても、ＤＡＢを受信している国が変化しない場合には、ＲＡＭ４３およびメモリ４４に保存されているすべてのデータはそのままとされる。
【００４０】
しかし、ステップ１０４における国識別コードＣＩＤの比較の結果、両者が異なる場合は、現在の受信国が、国識別コードＣＩＤを受信してメモリ４４に保存したときの受信国と異なる場合であり、アンサンブルおよびサービスが変化している。そこで、この場合には、処理はステップ１０４からステップ１１１に進み、このステップ１１１において、ＲＡＭ４３に保存されているアンサンブルおよびサービスなどのデータがまとめて消去される。
【００４１】
続いて、処理はステップ１１２に進み、このステップ１１２において、現在受信しているアンサンブルやサービスなどについてのデータがＲＡＭ４３に保存・蓄積され、続いて、ステップ１１３において、メモリ４４に保存されている国識別コードＣＩＤおよび拡張国コードＥＣＣが、ステップ１０３により取得したデータにより更新される。そして、その後、ステップ１１４によりルーチン１００を終了する。
【００４２】
したがって、ＤＡＢを受信している国が変化した場合には、メモリ４４に保存されている識別コードＣＩＤ、ＥＣＣ、およびＲＡＭ４３に蓄積されているデータは、その受信国におけるデータに更新される。
【００４３】
さらに、ステップ１０５における拡張国コードＥＣＣの比較の結果、両者が異なる場合も、現在の受信国が、国識別コードＣＩＤおよび拡張国コードＥＣＣを受信してメモリ４４に保存したときの受信国と異なる場合であり、アンサンブルおよびサービスが変化している。そこで、この場合には、処理はステップ１０５からステップ１１１に進み、以後、上述のようにステップ１１１〜１１３が実行され、メモリ４４に保存されている識別コードＣＩＤ、ＥＣＣ、およびＲＡＭ４３に蓄積されているデータは、その受信国におけるデータに更新される。
【００４４】
こうして、ルーチン１００によれば、ＤＡＢ受信機１０の移動にともなって受信国が変化すると、ＲＡＭ４３に蓄積されている各種のデータはいったん消去され、その後、あらためて受信国におけるアンサンブルやサービスなどのデータが蓄積されていく。したがって、例えば、ユーロスターに乗車してフランスからイギリスに移動した場合、ＬＣＤ５１に意味のないデータに基づいて受信できないアンサンブルやサービスの情報が表示されることがない。
【００４５】
また、受信国が変わったので、ＲＡＭ４３のアンサンブルおよびサービスを再構築するとき、その再構築に使用するデータは複数のフレームに分散されているので、すべてを受信するには、最大で１０秒程度の時間がかかる。しかし、ルーチン１００においては、受信国が変わったとき、ステップ１１１によりＲＡＭ４３のデータをまとめて消去し、その後、ステップ１１２により新しいデータに更新していくので、古いデータと新しいデータとが混在することがない。したがって、アンサンブルおよびサービスの再構築を適切に行うことができ、また、これにより移動先で、移動元のサービスを受信しようとしたり、その状態を続けたりすることを防止できる。
【００４６】
なお、上述において、例えばステップ１１１においてデータを消去するとき、国識別コードＣＩＤおよび拡張国コードＥＣＣの示す国が変化したことを、ＬＣＤ５１に表示することもできる。さらに、これらの機能の有効・無効を、国ごとに、あるいはすべての国をまとめてユーザが選択可能にすることもできる。また、ルーチン１００は、電源をオンにしたときだけ実行するようにしてもよい。
【００４７】
（２）  第２の実施形態
この例においては、ＤＡＢの受信国が変化したとき、プリセット受信用のプリセットテーブルを更新するようにした場合である。
【００４８】
この例においても、ＤＡＢ受信機１０のハードウェアは図１に示すように構成される。また、ＲＯＭ４２には、国識別コードＣＩＤおよび拡張国コードＥＣＣの示す国ごとに、その国で受信できるアンサンブルおよびサービスのプリセットテーブルが用意される。
【００４９】
さらに、図２に示すルーチン１００に代わって図３に示すルーチン２００がＲＯＭ４２に設けられ、このルーチン２００が、ＤＡＢ受信機１０の電源がオンとされている期間に、ＣＰＵ４１により例えば１分ごとに繰り返し実行される。
【００５０】
そして、ルーチン２００に対するＣＰＵ４１の処理は、ルーチン２００のステップ２０１からスタートし、ルーチン１００のステップ１０２〜１０５と同様のステップ２０２〜２０５が実行され、国識別コードＣＩＤおよび拡張国コードＥＣＣによりＤＡＢの受信国が変化したかどうかが判別される。
【００５１】
そして、受信国が変化していない場合には、処理はステップ２０５からステップ２１４に進み、ルーチン２００を終了する。こうして、ルーチン２００が実行されても、ＤＡＢを受信している国が変化しない場合には、メモリ４４のプリセットテーブルはそのままとされる。
【００５２】
しかし、受信国が変化している場合には、処理はステップ２０４あるいは２０５からステップ２１１に進み、このステップ２１１において、ＲＯＭ４２に、現在の受信国に対応したプリセットテーブルが用意されているかどうかが判別される。そして、ＲＯＭ４２に、現在の受信国に対応したプリセットテーブルが用意されているときには、処理はステップ２１１からステップ２１２に進み、このステップ２１２において、ＲＯＭ４２から現在の受信国に対応したプリセットテーブルが取り出されてメモリ４４に書き込まれる。
【００５３】
続いて、処理はステップ２１３に進み、このステップ２１３において、プリセットテーブルが現在の受信国に対応した内容に更新されたことが、ＬＣＤ５１に表示され、その後、ステップ２１４によりルーチン２００を終了する。
【００５４】
また、ステップ２１１において、ＲＯＭ４２に、現在の受信国に対応したプリセットテーブルが用意されていないときには、処理はステップ２１１からステップ２１５に進み、このステップ２１５において、受信国が変化したがプリセットテーブルを更新できないことがＬＣＤ５１に表示され、その後、ステップ２１４によりルーチン２００を終了する。
【００５５】
こうして、ルーチン２００によれば、ＤＡＢ受信機１０の移動にともなって受信国が変化すると、プリセット受信用のプリセットテーブルが自動的に更新されるので、その移動先の国でも、ＤＡＢをワンタッチで受信することができる。
【００５６】
なお、プリセットテーブルの自動更新の有効・無効を、国ごとに、あるいはすべての国をまとめてユーザが選択可能にすることもできる。
【００５７】
（３）  第３の実施形態
この例においては、ＤＡＢの受信国が変化したとき、プリセット受信用のプリセットテーブルを、過去の受信履歴に基づいた内容にしたがって更新するようにした場合である。
【００５８】
この例においても、ＤＡＢ受信機１０のハードウェアが図１に示すように構成される。また、サービスを受信したとき、そのとき得られるアンサンブルおよびサービスのデータが、国識別コードＣＩＤおよび拡張国コードＥＣＣの示す国ごとに分類されるとともに、その国ごとにプリセットテーブルの形式に加工されてメモリ４４に保存される。
【００５９】
さらに、図３に示すルーチン２００がＲＯＭ４２に設けられ、このルーチン２００が、ＤＡＢ受信機１０の電源がオンとされている期間に、ＣＰＵ４１により例えば１分ごとに繰り返し実行される。ただし、この例の場合には、ステップ２１１において、メモリ４４に、現在の受信国に対応したプリセットテーブル（受信履歴から加工したプリセットテーブル）が作製されているかどうかが判別される。そして、メモリ４４に、現在の受信国に対応したプリセットテーブルが作製されているときには、処理はステップ２１１からステップ２１２に進み、このステップ２１２において、現在の受信国に対応したプリセットテーブルが選択され、メモリ４４の本来のプリセットテーブルに書き込まれる。
【００６０】
したがって、この例の場合には、受信国が変化すると、プリセットテーブルの内容が、その受信国における受信履歴にしたがって更新されるので、受信頻度の高いサービスなどを適切に受信することができる。
【００６１】
なお、この例においても、プリセットテーブルの自動更新の有効・無効を、国ごとに、あるいはすべての国をまとめてユーザが選択可能にすることもできる。
【００６２】
（４）  第４の実施形態
上述においては、いずれもＤＡＢの受信だけを考慮した場合であるが、ＤＡＢに加えてＡＭ放送やＦＭ放送も受信できる受信機の場合には、ＤＡＢについて上記（２）項あるいは（３）項を実施するとき、ＡＭ放送あるいはＦＭ放送についても同様に処理することができる。
【００６３】
そのようにすれば、ＤＡＢだけでなくＡＭ放送やＦＭ放送も受信国に対応してプリセットテーブルが自動的に更新されるので、移動先の国でも、ＡＭ放送やＦＭ放送を適切に受信することができる。
【００６４】
なお、この例においても、プリセットテーブルの自動更新の有効・無効を、国ごとに、あるいはすべての国をまとめてユーザが選択可能にすることもできる。
【００６５】
〔この明細書で使用している略語の一覧〕
Ａ／Ｄ  ：Ａｎａｌｏｇ  ｔｏ  Ｄｉｇｉｔａｌ
ＡＦＣ  ：Ａｕｔｏｍａｔｉｃ  Ｆｒｅｑｕｅｎｃｙ  Ｃｏｎｔｒｏｌ
ＡＭ    ：Ａｍｐｌｉｔｕｄｅ  Ｍｏｄｕｌａｔｉｏｎ
ＣＰＵ  ：Ｃｅｎｔｒａｌ  Ｐｒｏｃｅｓｓｉｎｇ  Ｕｎｉｔ
Ｄ／Ａ  ：Ｄｉｇｉｔａｌ  ｔｏ  Ａｎａｌｏｇ
ＤＡＢ  ：Ｄｉｇｉｔａｌ  Ａｕｄｉｏ  Ｂｒｏａｄｃａｓｔｉｎｇ
ＤＳＰ  ：Ｄｉｇｉｔａｌ  Ｓｉｇｎａｌ  Ｐｒｏｃｅｓｓｏｒ
Ｅｕｒｅｋａ：Ｅｕｒｏｐｅａｎ  Ｒｅｓｅａｒｃｈ  Ｃｏｏｒｄｉｎａｔｉｎｇ  Ａｇｅｎｃｙ
ＦＦＴ  ：Ｆａｓｔ  Ｆｏｕｒｉｅｒ  Ｔｒａｎｓｆｏｒｍ
ＦＭ    ：Ｆｒｅｑｕｅｎｃｙ  Ｍｏｄｕｌａｔｉｏｎ
ＬＣＤ  ：Ｌｉｑｕｉｄ  Ｃｒｙｓｔａｌ  Ｄｉｓｐｌａｙ
ＭＰＥＧ：Ｍｏｔｉｏｎ  Ｐｉｃｔｕｒｅ  Ｉｍａｇｅ  Ｃｏｄｉｎｇ  Ｅｘｐｅｒｔｓ  Ｇｒｏｕｐ
ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘ
ＲＡＭ  ：Ｒａｎｄｏｍ  Ａｃｃｅｓｓ  Ｍｅｍｏｒｙ
ＲＤＳ  ：Ｒａｄｉｏ  Ｄａｔａ  Ｓｙｓｔｅｍ
ＲＯＭ  ：Ｒｅａｄ  Ｏｎｌｙ  Ｍｅｍｏｒｙ
【００６６】
【発明の効果】
この発明によれば、受信機の移動にともなって受信国が変化すると、ＲＡＭに蓄積されている各種のデータはいったん消去され、その後、あらためて受信国におけるデータが蓄積されていくので、ディスプレイに受信できない放送の情報が表示されることがない。
【００６７】
また、受信国が変わり、ＲＡＭのデータを再構築するとき、古いデータと新しいデータとが混在することがないので、データの再構築を適切に行うことができ、また、これにより移動先で、移動元の放送を受信しようとしたり、その状態を続けたりすることを防止できる。さらに、受信国が変化すると、プリセット受信用のプリセットテーブルが自動的に更新されるので、その移動先の国でも、放送をワンタッチで受信することができる。
【図面の簡単な説明】
【図１】この発明の一形態を示す系統図である。
【図２】この発明の一形態を示すフローチャートである。
【図３】この発明の他の形態を示すフローチャートである。
【図４】この発明を説明するための図である。
【図５】この発明を説明するための図である。
【図６】この発明を説明するための図である。
【符号の説明】
１０…ＤＡＢ受信機、１１…アンテナ、１２…フロントエンド回路、１３…Ａ／Ｄコンバータ回路、１４…直交復調回路、１５…ＦＦＴ回路、１６…デインターリーブ回路、１７…ビタビデコーダ回路、１８…デコーダ回路、１９…Ｄ／Ａコンバータ回路、２１…アンプ、２２…スピーカ、３１…ＤＳＰ、４０…マイクロコンピュータ、４１…ＣＰＵ、４２…ＲＯＭ、４３…ＲＡＭ、４４…不揮発性メモリ、４５…入出力回路、５１…ＬＣＤ、５２…キー
【図１】
2004349758.tif 000003
【図２】
2004349758.tif 000004
【図３】
2004349758.tif 000005
【図４】
2004349758.tif 000006
【図５】
2004349758.tif 000007
【図６】
2004349758.tif 000008